(57)【要約】【課題】医療現場、手術室等で使用することでより的確な診断、安全な施術の補助を行う。【解決手段】光源を必要とする液晶モジュール、有機エレクトロルミネッセンスなど映像投影に必要な発光層を複数有する複合体により階層構造に分けられた画像を各層に映す事で立体視映像を表示させる。また映像認識カメラやセンサーにより人間の手の動き等を感知し画像を動かすことが出来る。【選択図】図１
2018098752.tif 000002
【特許請求の範囲】
【請求項１】
映像パネルの複合体を使った裸眼視による立体映像を映す装置。
【請求項２】
表示された立体映像を手等の操作で動かすセンサーを有する装置。
【発明の詳細な説明】
【技術分野】
【０００１】  この発明は、裸眼で立体映像を表示し操作できる事に関する。
【背景技術】
【０００２】  平面映像パネルを複数枚重ねる事により、裸眼視による立体的な映像を投影し画像を操作する装置である。
【発明の概要】
【発明が解決しようとする課題】
【０００３】  医療現場でのＭＲＩ等の平面画像だけでは病床発見が困難な場合がある。
そこで、この発明は断層画像等、核磁気共鳴画像法によって得た画像データ、及びコンピュータグラフィックス、映像データ、通信データを容易に表示し裸眼視出来る画像を容易に表示、動かせる事が出来る装置を提供することを課題とする。
【課題を解決するための手段】
【０００４】  以上の課題を解決するために、第一発明は映像を映すパネルを幾重にも重ね、手前から順々に階層構造に分けて表示する事で奥行きのある映像として投影する装置である。
また、第二発明は、電子ペーパー等を複数枚重ね表示する事で俯瞰視により立体的に見える。
【発明の効果】
【０００５】  第一発明によれば、医療従事者と患者等複数人で立体画像を確認する事が出来る。
また第二発明によれば地図等の画像を立体的に表示、表現することで市街図や標高図、航路図を直感的に確認する事が出来る。
【図面の簡単な説明】
【０００６】
【図１】この発明の一実施形態を示す正面図である。
【発明を実施するための形態】
【０００７】  この発明の一実施形態を、図１に示す。
映像表示体、液晶モジュール、有機エレクトロルミネッセンスなど映像投影に必要な発光層を複数有する複合体により階層構造に分けられた画像を各層に映す事で正面、背面、左右、天地面から立体視認ができる映像を表示。また図は直線的なものとなっているが曲線の表示装置を使うことによりドーム型や円形の物などの変形表示装置にすることで本装置を身近なものにすることが出来、映像認識カメラ、抵抗膜方式、表面弾性波方式、赤外線方式、電磁誘導方式、静電容量方式により人間の手の操作で表示画像を容易に動かすようにできる。
【０００８】「実施形態の効果」
この実施形態によれば直感的な立体視視認が可能。
「他の実施形態」
図１の実施形態では、医療用映像装置面が強調されたものだが業務用映像装置、業務用遊技機、レーダー管制表示装置、家庭用テレビジョン、モニター、家庭用遊技機としてや携帯端末、ウェアラブル端末、腕時計への使用でも良い。
【産業上の利用可能性】
【０００９】  この機構を医療現場、手術室等で使用することでより的確な診断、安全な施術を補助する事が可能となる。
【図面の簡単な説明】
【００１０】７の画像表示装置から複数枚からなる６の表示パネルに映像を各階層毎に処理し画像を表示する事で、複合体の正面、背面、左右、天地各面から立体視認ができる映像を表示させる。また８の映像認識カメラやセンサーにより人間の手の動き等を感知し画像を動かすことが出来る。図は直線的なものとなっているが曲線の表示装置を使うことによりドーム型や円形の物などの変形表示装置にすることで本装置を身近なものにすることが出来る。
【符号の説明】
【００１１】１  正面  画面
２  背面  画面
３  天    画面
４  右    画面
５  左    画面
６  階層構造を表示する各表示パネル
７  画像表示制御装置
８  映像認識カメラ
【図１】
2018098752.tif 000003
【手続補正書】
【提出日】平成29年2月13日(2017.2.13)
【手続補正１】
【補正対象書類名】明細書
【補正対象項目名】全文
【補正方法】変更
【補正の内容】
【発明の詳細な説明】
【技術分野】
【０００１】  この発明は、裸眼で立体映像を表示し操作できる事に関する。
【背景技術】
【０００２】  平面映像パネルを複数枚重ねる事により、裸眼視による立体的な映像を投影し画像を操作する装置である。
【発明の概要】
【発明が解決しようとする課題】
【０００３】  医療現場でのＭＲＩ等の平面画像だけでは病床発見が困難な場合がある。
そこで、この発明は断層画像等、核磁気共鳴画像法によって得た画像データ、ＣＧ、映像データを容易に表示し裸眼視する事が出来る画像を容易に動かせる事が出来る装置を提供することを課題とする。
【課題を解決するための手段】
【０００４】  以上の課題を解決するために、第一発明は映像を映すパネルを幾重にも重ね、手前の映像パネルから順々に階層構造に分けて表示する事で奥行きのある映像を投影する装置である。
また、第二発明は、電子ペーパー等を複数枚重ね表示する事で俯瞰視により立体的に見える。
【発明の効果】
【０００５】  第一発明によれば、医療従事者と患者等複数人で立体画像を確認する事が出来る。
また第二発明によれば地図等の画像を立体的に表示、表現することで市街図や標高図を直感的に確認する事が出来る。
【図面の簡単な説明】
【０００６】  ７の画像表示装置から複数枚からなる６の表示パネルに映像を各階層毎に処理した画像を表示する事で、正面、背面、左右、天地各面から立体視認ができる映像を表示させる。また８の映像認識カメラやセンサーにより人間の手の動き等を感知し画像を動かすことが出来る。図は直線的なものとなっているが曲線の表示装置を使うことによりドーム型や円形の物などの変形表示装置にすることで本装置を身近なものにすることが出来る。
【図１】この発明の一実施形態を示す図である。
【発明を実施するための形態】
【０００７】  この発明の一実施形態を、図１に示す。
映像表示体、液晶モジュール、有機エレクトロルミネッセンスなど映像投影に必要な発光層を複数有する複合体により階層構造に分けられた画像を各層に映す事で正面、背面、左右、天地面から立体視認ができる映像を表示。また図は直線的なものとなっているが曲線の表示装置を使うことによりドーム型や円形の物などの変形表示装置にすることで本装置を身近なものにすることが出来、映像認識カメラ、抵抗膜方式、表面弾性波方式、赤外線方式、電磁誘導方式、静電容量方式により人間の手の操作で表示画像を容易に動かすようにできる。
【０００８】「実施形態の効果」
この実施形態によれば直感的な立体視視認が可能。
「他の実施形態」
図１の実施形態では、医療用映像装置面が強調されたものだが業務用映像装置、業務用遊技機、レーダー管制装置、家庭用テレビジョン、モニター、家庭用遊技機としてや携帯端末、腕時計への使用でも良い。
【産業上の利用可能性】
【０００９】  この機構を医療現場、手術室等で使用することでより的確な診断、安全な施術となる。
【符号の説明】
【００１０】１  正面画面
２  背面画面
３  天  画面
４  右  画面
５  左  画面
６  階層構造を表示する各表示パネル
７  画像表示制御装置
８  映像認識カメラ